(57)【要約】【課題】下地材に取り付けた木質板が吸湿放湿等により伸縮しても、木質板に反りや割れの発生を防止できる木質板取付治具及び該木質板取付治具を用いて取り付けられた木質板の取付構造を提供する。【解決手段】木ムク板、集成板等の木質板２を下地材３に取り付けるための木質板取付治具１であって、該木質板取付治具１を、前記下地材３に取り付けられる台座４と木質板２の裏面に取り付けられる係止体５とで構成し、前記台座４には第１鉤部７を有し、前記係止体５には、前記下地材３の上端に木質板２の裏面を当接させた位置で、木質板２と下地材３が離反する方向に前記台座４の第１鉤部７とに係止する第２鉤部１２を有し、該第１鉤部７と第２鉤部１２は係止状態で前記木質板２の伸縮方向に相互にスライド可能とした。【選択図】　　　　図１
2004066733.tif 000002
【特許請求の範囲】
【請求項１】
木ムク板、集成板等の木質板を下地材に取り付けるための木質板取付治具であって、該木質板取付治具は、前記下地材に取り付けられる台座と木質板の裏面に取り付けられる係止体とからなり、前記台座には第１鉤部を有し、前記係止体には、前記下地材の上端に木質板の裏面を当接させた位置で、木質板と下地材が離反する方向に前記台座の第１鉤部と係止する第２鉤部を有し、該第１鉤部と第２鉤部は係止状態で前記木質板の伸縮方向に相互にスライド可能となっていることを特徴とする木質板取付治具。
【請求項２】
前記台座は、下地材取付基体の一面側上部に前記第１鉤部を有し、該第１鉤部は、前記下地材取付基体の一面側に上部から下方に向かって凸曲面状に膨出する突出部の下端に下地材取付基体に向かって直角或いは若干鋭角な第１係止面を前記木質板の伸縮方向と平行に形成して構成され、前記係止体にあっては、木質板取付基体の下面側に前記第２鉤部を有し、該第２鉤部は、前記木質板取付基体の下面側に突出する弾性変形可能な係止部の前記第１鉤部対向面側に下部から上方に向かって凸曲面状に膨出する突出部の上端に前記第１鉤部の第１係止面に係止する第２係止面を前記木質板の伸縮方向と平行に形成して構成されていることを特徴とする請求項１に記載の木質板取付治具。
【請求項３】
前記請求項１に記載の前記木質板取付治具の台座が第１鉤部を上側に、そして係止体が第２鉤部を下側にして配置され、前記第１鉤部と第２鉤部のスライド方向と木質板の繊維方向とが直交するように、前記台座が下地材の側面に取り付けられるとともに係止体が木質板の裏面に取り付けられ、前記第１鉤部と第２鉤部が係止して前記下地材に木質板が取り付けられることを特徴とする木質板の取付構造。
【請求項４】
前記請求項２に記載の前記木質板取付治具の台座が第１鉤部を上側に、そして係止体が第２鉤部を下側にして配置され、前記第１鉤部と第２鉤部のスライド方向と木質板の繊維方向とが直交するように、前記台座が下地材の側面に取り付けられるとともに係止体が木質板の裏面に取り付けられ、前記第１鉤部と第２鉤部が、前記係止体の弾性変形可能な係止部の復元力により緊張状態で係止して前記下地材に木質板が取り付けられることを特徴とする木質板の取付構造。
【発明の詳細な説明】
【０００１】
【発明の属する技術分野】
本発明は木ムク板、集成板等の木質板を下地材に取り付ける木質板取付治具及び該木質板取付治具を用いて取り付けられた木質板の取付構造に関する。
【０００２】
【従来の技術】
従来から、住宅内部の階段踏板や廻り階段の踏板、階段の踊り場や、キッチンカウンタ−、ダイニングテ−ブル、洗面カウンタ−、机の天板、居間、応接室のテ−ブルなどに、木ムク板、集成板等の木質板が数多く使用されている。かかる木質板は、木材の持つ自然な手触り感のみならず、木材の吸放湿作用による部屋の調湿作用が住む人にとってやさしく、また金属やプラスチックのように湿気によって結露することがないなどの利点を有している。特に、集成板を構成する個々のラミナは、木材の持つ節、腐れ、割れなどの欠点が除去されているので、それらを集成して得られた集成板は木ムク板に比べて品質のバラツキが少なく品質が平準化され均一な材料であり、木ムク板と比べて反りや割れの発生の少ない材料として広く使用されている。
【０００３】
前記木ムク板、集成板等の木質板は、下地材（架台、脚等を含む）へ取り付けて前記のような建築物や家具等に用いられるが、従来、下地材への木質板の取り付けは、一般的に木質板を接着剤を併用して木ネジや釘等を用いて固定することにより行われている。
【０００４】
【発明が解決しようとする課題】
しかしながら、木質板は、木材の本来の性質で、木材の含水率変動によって吸湿時に膨張し乾燥時に収縮するといった欠点がある。このため、前記のように接着剤を併用して木ネジや釘等を用いて木質板を下地材に完全に固定するといった取り付けは、木質板が乾燥して収縮する際、無理に収縮して内部応力が発生し、反りや割れの発生を引き起こすといった問題を抱えている。特に、近年では、冷暖房の普及が著しく、特に高気密高断熱住宅等においては、部屋の乾燥が進み、木ムク板に比べ反りや割れに強い集成板といえども、反りや乾燥収縮の発生を防止することは困難であり大きな問題となっていた。
【０００５】
前記木材の乾燥による収縮率と割れについて簡単に触れてみる。例えば、木材のフリーの状態での収縮率は、木材の含水率が１０％変化すると、木材の繊維方向の収縮率は約０．１％であるが、木材の繊維方向と直交する方向の収縮率は約２％〜３％である。例えば階段の踊り場の踏板の幅は通常約１ｍ前後あり、木質板の繊維方向と直交方向の収縮率は約２〜３％であるので、踊り場の踏板が乾燥収縮して含水率が１０％変化したとすると、１ｍの２〜３％、すなわち２０〜３０ｍｍ収縮し、これが原因で下地材に接着剤と木ネジ又は釘等によって完全に固定されている木質板に大きな割れが発生することになる。
【０００６】
木質板が集成板で、その幅が比較的狭い場合、例えば約１００ｍｍ以下の場合は、含水率が１０％変化したとしても収縮量は２〜３ｍｍ程度であり、この程度であると、大きな割れにつながらないこともあった。しかし、集成板は広幅の板材として用いることに大きな意味があり、そして、特に、広幅材を必要とする階段の踏板、廻り踏板、踊り場などや、各種カウンタ−、テ−ブル等に集成板が数多く使用されており、その結果、板材全体の収縮量も大きくなり、前記のように集成板といえども反りや乾燥収縮の発生が避けられないものとなっている。
【０００７】
本発明の目的は、下地材に取り付けた木ムク板、集成板等の木質板が吸湿放湿等により伸縮しても、木質板に反りや割れが発生するのを防止できる木質板取付治具及び該木質板取付治具を用いて取り付けられた木質板の取り付け構造を提供することにある。
【０００８】
【課題を解決するための手段】
上記目的を達成するために本発明に係る請求項１に記載の発明は、木ムク板、集成板等の木質板を下地材に取り付けるための木質板取付治具であって、該木質板取付治具は、前記下地材に取り付けられる台座と木質板の裏面に取り付けられる係止体とからなり、前記台座には第１鉤部を有し、前記係止体には、前記下地材の上端に木質板の裏面を当接させた位置で、木質板と下地材が離反する方向に前記台座の第１鉤部と係止する第２鉤部を有し、該第１鉤部と第２鉤部は係止状態で前記木質板の伸縮方向に相互にスライド可能となっていることを特徴とする。
【０００９】
係る構成から、前記木質板取付治具の台座を第１鉤部を上側に、そして係止体を第２鉤部を下側に向けて配置し、前記第１鉤部と第２鉤部のスライド方向と木質板の繊維方向とが直交するように、前記台座を下地材の側面に取り付けるとともに係止体を木質板の裏面に取り付け、前記下地材の上端に木質板の裏面を当接させると前記第１鉤部と第２鉤部が離反方向に係止し、該第１鉤部と第２鉤部の係止により、前記木質板は下地材に取り付けられる。そして、前記下地材に取り付けられた木質板が伸縮したとき、この伸縮は繊維方向と直交する方向に大きく発生するが、このとき前記第１鉤部と第２鉤部は係止状態で前記木質板の伸縮方向に相互にスライド可能となっているので、前記木質板の伸縮に伴って第２鉤部は第１鉤部上を前記伸縮方向にスライドし、これにより下地材と木質板間に応力が発生せず、木質板の反りや割れの発生を防止できる。他方、前記木質板は、繊維方向が下地材に固定されているが、繊維方向の伸縮量は少ないので、固定されていても木質板に問題となるような反りや割れは発生しない。
【００１０】
請求項２に記載の発明は、請求項１に記載の前記台座は、下地材取付基体の一面側上部に前記第１鉤部を有し、該第１鉤部は、前記下地材取付基体の一面側に上部から下方に向かって凸曲面状に膨出する突出部の下端に下地材取付基体に向かって直角或いは若干鋭角な第１係止面を前記木質板の伸縮方向と平行に形成して構成され、前記係止体にあっては、木質板取付基体の下面側に前記第２鉤部を有し、該第２鉤部は、前記木質板取付基体の下面側に突出する弾性変形可能な係止部の前記第１鉤部対向面側に下部から上方に向かって凸曲面状に膨出する突出部の上端に前記第１鉤部の第１係止面に係止する第２係止面を前記木質板の伸縮方向と平行に形成して構成されていることを特徴とする。
【００１１】
係る構成から、前記木質板取付治具の台座を第１鉤部が上側になるように、そして係止体を第２鉤部が下側になるように向けて配置し、前記第１鉤部と第２鉤部のスライド方向と木質板の繊維方向とが直交するように、前記台座を下地材の側面に取り付けるとともに係止体を木質板の裏面に取り付け、前記台座の第１鉤部の凸曲面状に膨出する突出部に、前記係止体の第２鉤部の凸曲面状に膨出する突出部を当接させて、前記木質板を下地材側に押し込むと、前記木質板取付基体の下面側に突出する係止部が弾性変形して前記第２鉤部の突出部が第１鉤部の突出部を下方に滑動し、前記木質板の裏面が下地材の上端に当接し前記第２鉤部の突出部が第１鉤部の突出部から外れ、前記弾性変形していた係止部の復元力により、前記第１鉤部の第１係止面に第２係止面が緊張状態で係止する。これにより、前記木質板は下地材にガタツキの無い緊張状態で取り付けられる。しかも、第１鉤部の第１係止面は下地材取付基体に向かって直角或いは若干鋭角となっているので、該第１鉤部の第１係止面と、これと係止する前記第２鉤部の第２係止面との係止は楔状となり、これにより、下地材への木質板の強固な取り付け状態が得られる。
【００１２】
また、前記のように単に木質板を下地材側に押し込むだけで、台座の第１鉤部と係止体の第２鉤部を係止させることができるので、下地材への木質板の取り付けを簡単な作業で容易に行うことができる。
【００１３】
請求項３に記載の発明は、前記請求項１に記載の前記木質板取付治具の台座が第１鉤部を上側に、そして係止体が第２鉤部を下側にして配置され、前記第１鉤部と第２鉤部のスライド方向と木質板の繊維方向とが直交するように、前記台座が下地材の側面に取り付けられるとともに係止体が木質板の裏面に取り付けられ、前記第１鉤部と第２鉤部が係止して前記下地材に木質板が取り付けられることを特徴とする。
【００１４】
係る構成から、前記下地材に取り付けられた木質板が伸縮したとき、この伸縮は繊維方向と直交する方向に大きく発生するが、このとき前記第１鉤部と第２鉤部は係止状態で前記木質板の伸縮方向に相互にスライド可能となっているので、前記木質板の伸縮に伴って第２鉤部は第１鉤部上を前記伸縮方向にスライドし、これにより下地材と木質板間に応力が発生せず、木質板の反りや割れの発生を防止できる。他方、前記木質板は、繊維方向が下地材に固定されているが、繊維方向の伸縮量は少ないので、固定されていても木質板に問題となるような反りや割れは発生しない。
【００１５】
請求項４に記載の発明は、前記請求項２に記載の前記木質板取付治具の台座が第１鉤部を上側に、そして係止体が第２鉤部を下側にして配置され、前記第１鉤部と第２鉤部のスライド方向と木質板の繊維方向とが直交するように、前記台座が下地材の側面に取り付けられるとともに係止体が木質板の裏面に取り付けられ、前記第１鉤部と第２鉤部が、前記係止体の弾性変形可能な係止部の復元力により緊張状態で係止して前記下地材に木質板が取り付けられることを特徴とする。
【００１６】
係る構成から、前記下地材に取り付けられた木質板が伸縮したとき、この伸縮は繊維方向と直交する方向に大きく発生するが、このとき前記第１鉤部と第２鉤部は係止状態で前記木質板の伸縮方向に相互にスライド可能となっているので、前記木質板の伸縮に伴って第２鉤部は第１鉤部上を前記伸縮方向にスライドし、これにより下地材と木質板間に応力が発生せず、木質板の反りや割れの発生を防止できる。他方、前記木質板は、繊維方向が下地材に固定されているが、繊維方向の伸縮量は少ないので、固定されていても木質板に問題となるような反りや割れは発生しない。更に、前記第１鉤部と第２鉤部が、前記係止体の弾性変形可能な係止部の復元力により緊張状態で係止して前記下地材に木質板が取り付けられるので、前記弾性変形していた係止部の復元力により、前記第１鉤部の第１係止面に第２係止面が緊張状態で係止しており、これにより、前記木質板は下地材にガタツキの無い緊張状態で取り付けられたものとなる。しかも、第１鉤部の第１係止面は下地材取付基体に向かって直角或いは若干鋭角となっているので、該第１鉤部の第１係止面と、これと係止する前記第２鉤部の第２係止面との係止は楔状となり、これにより、下地材への木質板の強固な取り付け状態が得られる。
【００１７】
【発明の実施の形態】
以下、本発明の実施の形態の一例を説明する。
図１は本発明に係る木質板取付治具の実施の形態の一例を示す斜視図、図２は図１に示す木質板取付治具を用いて取り付けられた木質板の取付構造の第１例を示す斜視図、図３は図２の正面図、図４は図２の平面図である。
【００１８】
図において、１は木ムク板、集成板等の木質板（本例では集成板となっている）２を下地材３に取り付けるための木質板取付治具であり、この木質板取付治具１は下地材３に取り付けられる台座４と木質板２の裏面に取り付けられる係止体５で構成されている。
【００１９】
前記台座４は、板状の下地材取付基体６の一面側上部に前記第１鉤部７を有している。この第１鉤部７は、前記下地材取付基体６の一面側に上部から下方に向かって凸曲面状に膨出する突出部８の下端に下地材取付基体６に向かって直角或いは若干鋭角な第１係止面９を、後に詳細に述べる前記木質板２の伸縮方向と平行に所定の長さをもって下向きに形成した構成となっている。第１係止面９の前記木質板２の伸縮方向への長さは、前記木質板２の伸縮量に応じて、それ以上の長さに設定される。また、前記第１係止面９の角度は、本例では、下地材取付基体６に向かって若干鋭角な角度で傾斜する傾斜面をもって形成されている。前記下地材取付基体６の下部には台座４を下地材３に取り付ける取付用小孔２０が形成されている。また下地材取付基体６の他面側は前記下地材３に取り付ける取付面１０となっている。
【００２０】
前記係止体５は、板状の木質板取付基体１１の下面側に前記第２鉤部１２を有している。この第２鉤部１２は、前記木質板取付基体１１の下面側に突出する弾性変形可能な係止部１３の前記第１鉤部７に対向する面側に、下部から上方に向かって凸曲面状に膨出する突出部１４の上端に前記第１鉤部７の第１係止面９に係止する第２係止面１５を、後に詳細に述べる前記木質板２の伸縮方向と平行に上向きに形成した構成となっている。前記木質板取付基体１１には係止体５を木質板２に取り付ける取付用小孔１６が形成されている。また木質板取付基体１１の上面側は前記木質板２に取り付ける取付面１７となっている。本発明では必須ではないが、本例では前記取付面１７に弾性体１８が設けられている。取付面１７に弾性体１８を設けると、前記木質板２と該木質板２に取り付けられた取付面１７との間で、前記木質板２に変形があっても、この木質板２の変形を前記弾性体１８が吸収することが可能となる。この弾性体１８として、合成ゴム、天然ゴムやウレタン樹脂、ポリエチレン樹脂、アクリル樹脂等の合成樹脂発泡体などの薄板が使用される。この薄板の厚みは約０．３から３ｍｍ程度が好適である。
【００２１】
前記第２係止面１５の角度は、前記第１鉤部７の第１係止面９に対応する角度、即ち、本例では下地材取付基体６に向かって若干鋭角な角度で傾斜する傾斜面をもって形成されている。この角度は係止容易性、外れ防止性といった観点から、１〜１０度程度が好ましい。そして、この第２鉤部１２の第２係止面１５と前記第１鉤部７の第１係止面９は係止状態で前記木質板２の伸縮方向に相互に平行しており同方向にスライド可能となっている。
【００２２】
また、前記木質板取付基体１１の下面側に突出する弾性変形可能な係止部１３の前記第１鉤部７に対向する対向面１９は、前記第１鉤部７を構成する凸曲面状に膨出する突出部８の凸曲面に対応する凹曲面に形成されており、前記係止部１３の下部の突出部１４に形成されている第２係止面１５と前記第１鉤部７の第１係止面９が係止したとき、前記係止部１３の前記第１鉤部７に対向する対向面１９が第１鉤部７を構成する凸曲面状に膨出する突出部８の凸曲面にほぼ重なるようになっている。
【００２３】
前記のように構成される台座４の第１鉤部７と係止体５の第２鉤部１２の位置関係にあっては、下地材３に台座４を取り付け、木質板２の裏面に係止体５を取り付けた状態で、前記下地材３の上端に木質板２の裏面を当接させた位置で前記台座４の第１鉤部７の第１係止面９と係止体５の第２鉤部１２の第２係止面１５が係止するように設定されている。
【００２４】
また、前記木質板取付治具１の材質にあっては、金属製や合成樹脂製が好ましく、特に弾性変形可能な係止部１３を有する係止体５にあっては、曲げ弾力性を持たせた金属製や曲げ弾力性のある硬質又は半硬質の合成樹脂（例えば、塩化ビニル樹脂、ＡＢＳ樹脂、ナイロン樹脂、ポリエステル樹脂、ポリエチレン樹脂、ポリカーボネート樹脂等、又はこれらの材料を組み合わせたもの等）が用いられる。
【００２５】
このように構成された木質板取付治具１を用いての下地材３への木質板２の取り付けは、図２乃至図４の木質板の取付構造の一例に示すように、木質板２に対し、この木質板２を取り付ける２本の下地材３を、木質板２の繊維方向Ｌと直交する向きに平行に配置して固定し、この２本の下地材３の内側の面に、前記木質板取付治具１の台座４を、その第１鉤部７を上側にして、第１鉤部７の第１係止面９が下地材３の向きと平行に、即ち前記木質板２の繊維方向Ｌと直交する向きに所定間隔をあけて取り付ける。
【００２６】
また、前記木質板２には、その裏面に、前記平行に配置された下地材３に取り付けられている各台座４に対応する箇所に位置して、係止体５を、その第２鉤部１２を下側にして且つ第２鉤部１２を前記台座４の第１鉤部７と対向させ、更に、第２鉤部１２の第２係止面１５が前記木質板２の繊維方向Ｌと直交する向きに取り付ける。
【００２７】
前記のようにして台座４を取り付けた下地材３に、裏面に係止体５を取り付けた木質板２を、前記係止体５の第２鉤部１２の凸曲面状に膨出する突出部１４を前記台座４の第１鉤部７の凸曲面状に膨出する突出部８に上から当接させて押し込むと、前記木質板取付基体１１の下面側に突出する係止部１３が弾性変形して前記第２鉤部１２の突出部１４が第１鉤部７の突出部８を下方に滑動し、前記木質板２の裏面が下地材３の上端に当接した時点で、前記第２鉤部１２の突出部１４が第１鉤部７の突出部８から外れ、前記弾性変形していた係止部１３の復元力により、前記第１鉤部７の第１係止面９に第２係止面１５がガタツキの無い緊張状態で係止する。このとき、前記木質板取付基体１１の側端部１１ａが下地材３の内側面に当接するように前記係止体５を木質板２の裏面に取り付けると、これにより、前記木質板２と下地材３にガタツキの無い緊張状態が効果的に得られる。
【００２８】
しかも、第１鉤部７の第１係止面９は下地材取付基体６に向かって若干鋭角となっており、また第２鉤部１２の第２係止面１５も下地材取付基体６に向かって若干鋭角となっているので、前記第１鉤部７の第１係止面９と、これと係止する前記第２鉤部１２の第２係止面１５との係止は楔状となり、これにより、台座４と係止体５を引き寄せ合う力が働いて下地材３への木質板２の強固な取り付け状態が得られる。
【００２９】
また、前記下地材３への木質板２の取付作業は、前記のように、単に木質板２を下地材３側に押し込むだけといったワンタッチで、台座４の第１鉤部７と係止体５の第２鉤部１２を係止させることができるので、下地材３への木質板２の取り付けを簡単な作業で容易に行うことができる。
【００３０】
このようにして下地材３へ取り付けられた木質板２の取付構造によれば、前記下地材３に取り付けられた木質板２が、湿度変化や木質板２の表面からの吸湿放湿等で膨張収縮したとき、この膨張収縮率は木質板２の繊維方向Ｌは小さくその変化も僅かであるのに対し、木質板２の繊維方向Ｌと直交する方向は約２０〜３０倍も大きく、その変化も大きいが、前記のように、下地材３へ取り付けられた台座４の第１鉤部７の第１係止面９と木質板２へ取り付けられた係止体５の第２鉤部１２の第２係止面１５は係止状態で前記木質板２の伸縮方向、即ち繊維方向Ｌと直交する方向に相互に平行しており同方向にスライド可能となっているので、前記木質板２が吸湿放湿等により伸縮したとき、木質板２の伸縮に伴って第２鉤部１２は第１鉤部７上を前記伸縮方向にスライドする。これにより下地材３と木質板２間に応力が発生せず、木質板２の反りや割れの発生を防止できる。他方、前記木質板２は、繊維方向が下地材３に固定されているが、繊維方向Ｌの伸縮量は少ないので、同方向が固定されていても木質板２に問題となるような反りや割れは発生しない。
【００３１】
なお、本例では、前記取付面１７に弾性体１８が設けられているので、前記木質板２と該木質板２に取り付けられた取付面１７との間で、前記木質板２に反りによる変形があっても、この木質板２の変形を前記弾性体１８が吸収することができる。
【００３２】
図５は図１に示す木質板取付治具１を用いた木質板２の取付構造の第２例を示す平面図、図６は図５の一部拡大正面図である。
本例では、木質板２に対し、この木質板２を取り付ける下地材３を、木質板２の繊維方向Ｌと直交する向きに配置し、この下地材３の両側の面に、前記木質板取付治具１の台座４を、その第１鉤部７を上側にして、第１鉤部７の第１係止面９が下地材３の向きと平行に、即ち前記木質板２の繊維方向Ｌと直交する向きに所定間隔をあけて取り付けられている。
【００３３】
また、前記木質板２には、その裏面に、前記配置された下地材３の両側面に取り付けられている各台座４に対応する箇所に位置して、係止体５が、その第２鉤部１２を下側にして且つ第２鉤部１２を前記台座４の第１鉤部７と対向させ、更に、第２鉤部１２の第２係止面１５が前記木質板２の繊維方向Ｌと直交する向きに取り付けている。
【００３４】
前記のようにして台座４を取り付けた下地材３に、裏面に係止体５を取り付けた木質板２を、前記係止体５の第２鉤部１２の凸曲面状に膨出する突出部１４を前記台座４の第１鉤部７の凸曲面状に膨出する突出部８に上から当接させて押し込むことにより、前記木質板取付基体１１の下面側に突出する係止部１３が弾性変形して前記第２鉤部１２の突出部１４が第１鉤部７の突出部８を下方に滑動し、前記木質板２の裏面が下地材３の上端に当接した時点で、前記第２鉤部１２の突出部１４が第１鉤部７の突出部８から外れ、前記弾性変形していた係止部１３の復元力により、前記第１鉤部７の第１係止面９に第２係止面１５がガタツキの無い緊張状態で係止することにより、木質板２の取付構造が構成される。
【００３５】
本例の取付構造によれば、木質板２の裏面に取り付けた係止体５の第２鉤部１２が下地材３の両側面に取り付けた台座４の第１鉤部７に係止し、しかも下地材３の両側面に取り付けた台座４の第１鉤部７は係止体５の第２鉤部１２の弾性変形していた係止部１３の復元力により、両側から圧接状態で挟持されているので、下地材３が１本であっても木質板２を確実に取り付けることができ、特に、木質板２がテーブル等の天板で下地材３が脚であるような場合の木質板２の取付構造として最適である。
【００３６】
また、本例の取付構造も、前記第１例と同様、下地材３への木質板２の取付作業は、単に木質板２を下地材３側に押し込むだけといったワンタッチで、台座４の第１鉤部７と係止体５の第２鉤部１２を係止させることができるので、下地材３への木質板２の取り付けを簡単な作業で容易に行うことができ、また、前記木質板２が吸湿放湿等により伸縮したとき、木質板２の伸縮に伴って第２鉤部１２が第１鉤部７上を前記伸縮方向にスライドし、これにより下地材３と木質板２間に応力が発生せず、木質板２の反りや割れの発生を防止できる。他方、前記木質板２は、繊維方向が下地材３に固定されているが、繊維方向Ｌの伸縮量は少ないので、同方向が固定されていても木質板２に問題となるような反りや割れは発生しない。
【００３７】
【発明の効果】
以上のように本発明によれば、下地材に取り付けられた木質板が吸湿放湿等により伸縮しても、木質板の伸縮が拘束されず、これにより下地材と木質板間に応力が発生せず、木質板の反りや割れの発生を防止することができる。
【図面の簡単な説明】
【図１】本発明に係る木質板取付治具の実施の形態の一例を示す斜視図。
【図２】図１に示す木質板取付治具を用いて取り付けられた木質板の取付構造の第１例を示す斜視図。
【図３】図２の正面図。
【図４】図２の平面図。
【図５】図１に示す木質板取付治具を用いた木質板２の取付構造の第２例を示す平面図。
【図６】図５の一部拡大正面図。
【符号の説明】
１　木質板取付治具
２　木質板
３　下地材
４　台座
５　係止体
６　下地材取付基体
７　第１鉤部
８　突出部
９　第１係止面
１０　取付面
１１　木質板取付基体
１１ａ　木質板取付基体の側端部
１２　第２鉤部
１３　係止部
１４　突出部
１５　第２係止面
１６　取付用小孔
１７　取付面
１８　弾性体
１９　対向面
２０　取付用小孔
【図１】
2004066733.tif 000003
【図２】
2004066733.tif 000004
【図３】
2004066733.tif 000005
【図４】
2004066733.tif 000006
【図５】
2004066733.tif 000007
【図６】
2004066733.tif 000008